(57)【要約】【課題】キャップ本体２に装着した金輪５が脱落し難く、また金輪５がキャップ本体２の円周方向に対して位置がズレ難い構造となる金輪付き筆記具用キャップ１を提供する。【解決手段】金輪５に、キャップ本体２から露出する大径部５ａとキャップ本体２の下方開口部に挿着する挿着部５ｂとを形成し、金輪５の挿着部５ｂの外周壁をキャップ本体２の下方開口部２ａの内周壁２ｄに隣接させると共に、金輪５の挿着部５ｂおよび大径部５ａの内周壁５ｄに対して樹脂材からなりキャップ本体２に固定した内筒６の外周壁６ｅを隣接させることにより、金輪５の挿着部５ｂをキャップ本体５の内周壁５ｄと内筒６の外周壁６ｅとで挟持させ、且つキャップ本体２と金輪５とが隣接する面に接着剤を塗布して、金輪５キャップ本体２の下方開口部２ａに固着した。【選択図】図２
2009241568.tif 000002
【特許請求の範囲】
【請求項１】
キャップ本体の下方開口部に金輪を装着した筆記具用キャップであって、前記金輪に、キャップ本体から露出する大径部と前記キャップ本体の下方開口部に挿着する挿着部とを形成し、前記金輪の挿着部の外周壁を前記キャップ本体の下方開口部の内周壁に隣接させると共に、前記金輪の挿着部および大径部の内周壁に対して樹脂材からなり前記キャップ本体に固定した内筒の外周壁を隣接させることにより、前記金輪の挿着部を前記キャップ本体の内周壁と前記内筒の外周壁とで挟持させ、且つ前記キャップ本体と金輪とが隣接する面に接着剤を塗布して、当該金輪を該キャップ本体の下方開口部に固着したことを特徴とする金輪付き筆記具用キャップ。
【請求項２】
前記内筒の外周壁の円周上に複数の凸部を形成し、前記金輪の内周壁に前記内筒の外周壁の凸部の径方向の先端を当接させて支持させることを特徴とする請求項１に記載の金輪付き筆記具用キャップ。
【発明の詳細な説明】
【技術分野】
【０００１】
本発明は、筆記具の軸筒に装着する金輪付き筆記具用キャップに関し、さらに詳細には、非筆記時には筆記先端の保護やインクの乾燥を防止するために軸筒筆記端側へ嵌合させ、筆記時には軸筒尾端側へ嵌合できる筆記具用キャップに関する。
【背景技術】
【０００２】
従来より、例えば特許第３７８９５４７号公報に記載があるような、キャップが軸筒の筆記端側と尾端側との両方へ嵌合できる構造は広く普及されており、特に外筒（本発明のキャップ本体に相当）にアルミニウム，ステンレスチール，真鍮，洋白等の比較的硬質な金属を用いた場合には、外筒の内部にポリエチレン，ポリプロピレン等の比較的軟質な合成樹脂からなる内筒を配設することにより、当該内筒で軸筒の尾端側との嵌合状態をよくしたり、キャップに嵌合させた際における軸筒の尾端側の表面の傷付きを防止できる構造が広く普及している。
【０００３】
特に高級な筆記具用キャップの中には、装飾効果やキャップ本体の端部の保護を目的として、キャップ本体の下方開口部に装飾用の金輪を装着する場合が多い。このような金輪をキャップ本体の下方開口部に装着する構造においては、金輪の内周壁にキャップ本体の下方外周壁が隣接するよう挿着するか、あるいは金輪に小径部を設けてキャップ本体の下方開口部に金輪の小径部を挿着することが多い。また金輪をキャップ本体に装着する場合には、キャップに対して抜き差しが行われる軸筒との接触によって金輪が脱落し難い構造が必要であり、一般的には圧入や接着や螺合構造が採用されることが多い。
【０００４】
尚、装飾効果のある金輪においては金輪の外表面に刻印や模様を施すことが多く、キャップ本体に付設したクリップと位置関係を合わせる場合や、キャップ本体の外表面に設けた刻印や模様との円周上における位置関係を合わせる場合には、円周方向に回転させて双方に形成した螺子を螺合させる構造は加工に高い精度が要求されることから不向きであり、キャップ本体と金輪とを軸心に沿った直線方向にスライドして接合ができる圧入や接着が一般的である。
しかしながら、特に装飾目的として金輪の一部がキャップ本体から露出される構造のものでは、金輪に対して外的な力が作用しやすく、キャップ本体との圧入状態に緩みが生じたり、キャップ本体との接着に剥がれが生じて金輪が脱落してしまうことが間々あった。
【０００５】
また、特許第３７８９７７２号公報には、キャップ本体内に固着した合成樹脂製の補助筒（本発明の内筒に相当）の側面に配置した真鍮製の固定環を、同じく真鍮製の金輪に食い込ませて金輪をキャップ本体に固定する構造が記載されている。特許第３７８９７７２号公報に記載の構造では、補助筒の側面に突出させて形成した尾端側段部に固定環を接触させた状態で配置することから、固定環が補助筒に対して抜け止め状態で装着され、固定環と一体となった金輪が補助筒から抜け落ちないようにした構造である。しかしながら、金輪に回転方向の力が掛かった場合には、合成樹脂製の補助筒の外周面に対して金属製の金輪および金輪と一体になった固定環のその内面が当接しているだけなので、金輪がキャップ本体に対して回転してしまいやすいという問題があった。
【特許文献１】「特許第３７８９５４７号公報」
【特許文献２】「特許第３７８９７７２号公報」
【発明の開示】
【発明が解決しようとする課題】
【０００６】
本発明はこうした問題を鑑みて、キャップ本体に装着した金輪が脱落し難く、また金輪がキャップ本体の円周方向に対して位置がズレ難い構造となる金輪付き筆記具用キャップを提供することを目的とする。
【課題を解決するための手段】
【０００７】
本発明は、
「１．キャップ本体の下方開口部に金輪を装着した筆記具用キャップであって、前記金輪に、キャップ本体から露出する大径部と前記キャップ本体の下方開口部に挿着する挿着部とを形成し、前記金輪の挿着部の外周壁を前記キャップ本体の下方開口部の内周壁に隣接させると共に、前記金輪の挿着部および大径部の内周壁に対して樹脂材からなり前記キャップ本体に固定した内筒の外周壁を隣接させることにより、前記金輪の挿着部を前記キャップ本体の内周壁と前記内筒の外周壁とで挟持させ、且つ前記キャップ本体と金輪とが隣接する面に接着剤を塗布して、当該金輪を該キャップ本体の下方開口部に固着したことを特徴とする金輪付き筆記具用キャップ。
２．前記内筒の外周壁の円周上に複数の凸部を形成し、前記金輪の内周壁に前記内筒の外周壁の凸部の径方向の先端を当接させて支持させることを特徴とする１項に記載の金輪付き筆記具用キャップ。」である。
【０００８】
尚、内筒をキャップ本体に固定する手段としては、内筒の上部に雌螺子部を設けてキャップ本体の上端に付設した頭冠に形成した雄螺子部と螺合させて固定したり、上部に雌螺子部を設けた中子を内筒の内部に収容し、頭冠と中子とを螺合させて締め上げた中子を内筒の内面に当接させることにより、間接的に固定させてもよい。あるいは、内筒の外側面に突起を設け、キャップ本体に形成した孔部に内筒の突起を嵌着させて固定してもよい。
【発明の効果】
【０００９】
１項に係る発明では、金輪の挿着部を、キャップ本体の内周壁とキャップ本体に固定した内筒の外周壁とで挟持させると共に接着剤で接着するので、キャップ本体に対して金輪を強固に固着することができる。また本発明では、金輪をキャップ本体の軸心に沿った直線方向にスライドさせながら装着することができる構造なので、金輪の外表面に刻印や模様を施した場合においても、キャップ本体の外表面の任意の位置に対して、金輪の外表面の任意の位置を位置合わせが行いやすいものとなる。
【００１０】
２項に係る発明では、金輪の内周壁を、内筒の外周壁の円周上に形成した複数の凸部で当接させて支持させる構造なので、内筒の外周壁と金輪の内周壁との隙間が、内筒の外周壁から一定に突出した凸部の高さで自動的に均一に形成することが容易となり、金輪の外周壁に対して内筒の内周壁が偏って配設されることなく、内筒の凸部の高さの分だけ生じた隙間に、均一な接着剤層を形成することができ、安定した接着強度を得ることができるものとなる。
【発明を実施するための最良の形態】
【００１１】
キャップ本体に装着した金輪が脱落し難く、また金輪がキャップ本体の円周方向に対して位置がズレ難い構造となる金輪付き筆記具用キャップを実現した。
【実施例】
【００１２】
次に図面を参照しながら本実施例の説明を行う。本実施例の説明においては、キャップに筆記具の軸筒の筆記先端側を嵌合した際に、軸筒の筆記先端が向く側を上方と表現しその反対側を下方と表現する。図中の同じ部材、同じ部品については、同じ符号としてある。本発明は以下の実施例に限定されるものではない。
【００１３】
図１は本実施例の金輪付き筆記具用キャップの斜視図である。図１に示すようにキャップ１は、キャップ本体２の側面にクリップ３を配し、キャップ本体２の上方部に頭冠４を装着してクリップ３の基部３ａを固定し、またキャップ本体２の下方に装飾用の金輪５を装着してある。
【００１４】
図２は図１の縦断面図で、図３は図２のＡ−Ａ線端面拡大図である。図４はキャップの分解図である。図２，図４に示すように金輪５は、キャップ本体２の下方へ露出する大径部５ａと、大径部５ａから上方に突出した小径の挿着部５ｂとを形成してある。またキャップ本体２の内部には、下方開口部２ａ側より挿通した樹脂材からなる内筒６を配設してあり、内筒６の上方部に形成した貫通孔６ａに、中子７の上端面７ａから突設させた突設部７ｂを嵌着させると共に、内筒６の内方へ膨出させた段部６ｂに中子７の上端面７ａを当接させ、頭冠４のフランジ部４ａの下方に形成した雄螺子部４ｂを、中子７の突設部７ｂに形成した雌螺子部７ｃに螺合させることで中子７を締め上げ、中子７の上端面７ａと頭冠４のフランジ部４ａとで、内筒６の内周面に形成した段部６ｂと、キャップ本体２の上端に形成した内向きの鍔部２ｂとを挟持して、キャップ本体２に内筒６を固定してある。また本実施例では、内筒６の上端にＣ形状の突起部６ｃ（図４参照）を形成してあり、クリップ３の基部３ａを内筒６の突起部６ｃの内側に配設し、クリップ３の基部３ａに穿孔した丸孔３ｂに、頭冠４の雄螺子部４ｂを挿通すると共に、クリップ３の基部３ａを、内筒６の突起部６ｃの切欠部６ｄ（図４参照）とキャップ本体２の鍔部２ｂに形成した切欠部２ｃ（図４参照）とに嵌めてクリップ３の回転を防止させる構造である。
【００１５】
また、図３に示すように、キャップ本体２の下方開口部２ａに装着した金輪５は、挿着部５ｂの外周壁５ｃをキャップ本体２の下方開口部２ａの内周壁２ｄに隣接させており、また金輪５の挿着部５ｂおよび大径部５ａ（図２参照）の内周壁５ｄを、内筒６の下方部の外周壁６ｅに隣接させ、互いが隣接する面に接着剤（図示せず）を塗布して固着してある。尚、本実施例では、内筒６の下方部の外周壁６ｅの表面円周上に、等間隔で配列させた軸心に沿った方向に延びる複数の等しい高さの凸部６ｆを形成してあり、凸部６ｆの径方向の先端を金輪５の内周壁５ｄに対して軸心に沿った方向で線接触するようにして、内筒６の外周壁６ｅと金輪５の内周壁５ｄとの間に凸部６ｆの高さで均一な隙間Ｓを形成し、その隙間Ｓに均一な接着剤層（図示せず）が形成されるようにした。
【００１６】
次に、本実施例のキャップの組立工程に関して、図５と図６を用いて簡単に説明を行う。図５は本実施例のキャップの組立工程の一部を示す状態図で、図６は図５の後の工程である。本実施例では図５に示すように、前もって接着を行った金輪５と内筒６とをキャップ本体２の下方開口部２ａより挿通して装着させる。次いで図６に示すように、金輪５が装着された状態のキャップ本体２に対して、内筒６の空間部６ｇに中子７が収容されるよう挿通させ（図２参照）、前述した通り、クリップ３の基部３ａを頭冠４のフランジ部４ａで挟持するよう頭冠４の雄螺子部４ｂを中子７の雌螺子部７ｃに螺合させて完成する。
【産業上の利用可能性】
【００１７】
本発明による筆記具用キャップ構造は、筆記具以外にも、化粧具や塗布具等で金輪付きのキャップに用いることが可能である。
【図面の簡単な説明】
【００１８】
【図１】本実施例の金輪付き筆記具用キャップの斜視図である。
【図２】は図１の縦断面図である。
【図３】図２のＡ−Ａ線端面拡大図である。
【図４】キャップの分解図である。
【図５】本実施例のキャップの組立工程の一部を示す状態図である。
【図６】図５の後の工程である。
【符号の説明】
【００１９】
１…キャップ、
２…キャップ本体、２ａ…下方開口部、２ｂ…鍔部、２ｃ…切欠部、２ｄ…内周壁、
３…クリップ、３ａ…基部、３ｂ…丸孔、
４…頭冠、４ａ…フランジ部、４ｂ…雄螺子部、
５…金輪、５ａ…大径部、５ｂ…挿着部、５ｃ…外周壁、５ｄ…内周壁、
６…内筒、６ａ…貫通孔、６ｂ…段部、６ｃ…突起部、６ｄ…切欠部、６ｅ…外周壁、
６ｆ…凸部、６ｇ…空間部、
７…中子、７ａ…上端面、７ｂ…突設部、７ｃ…雌螺子部。
【図１】
2009241568.tif 000003
【図２】
2009241568.tif 000004
【図３】
2009241568.tif 000005
【図４】
2009241568.tif 000006
【図５】
2009241568.tif 000007
【図６】
2009241568.tif 000008